(57)【要約】【課題】入口に入った球を電気による動力を使わない機構により定められた１／２以外の割合で振り分ける。【解決手段】２０個の球が１個ずつ入口３に入った場合において、左レバー１６が１個の球に対して下降して左連絡口１３を開きそれ以外は閉じており、左レバー１６が左連絡口１３を開く時は右レバー１７が右連絡口１４を閉じると共に左レバー１６が左連絡口１３を閉じる時は右レバー１７が右連絡口１４開く構造であり、入口３に入った２０個のうちの１個の球が左出口４に取り込まれ、入口３に入った２０個のうちの１９個の球が右出口５に取り込まれる構造であり、左出口４に取り込まれる球の割合が１／２０で、右出口５に取り込まれる球の割合は１９／２０であるというように、入口３に入った球を電気による動力を使わない機構部１１により定められた１／２以外の割合で左出口４と右出口５とに振り分ける。振り分けの割合は１／２０以外でもよい。【選択図】図１
2014124363.tif 000002
【特許請求の範囲】
【請求項１】
装置本体に入口と左出口と右出口と隔壁と機構部とを備え、隔壁が入口と落下通路と左連絡口と右連絡口とを装置本体の前部に形成すると共に入口に入った球を装置本体から外側に出ないよう左出口又は右出口に誘導する造形であり、機構部は装置本体の後部に設けられて電気による動力を使わないで定められた１／２以外の割合で入口に入った球を左出口と右出口とに振り分けるようになっている一方、機構部は、落下通路を落下する球の重力で回転する送りギアと、送りギアから落下した球を左出口に誘導する左連絡口を開閉する左レバーと、送りギアから落下した球を右出口に誘導する右連絡口を開閉する右レバーと、送りギアの回転で左レバーと右レバーとを機構部により定められた１／２以外の割合で振り分け動作するように動かすレバー連動機構とを備えたことを特徴とする遊技機の球振分装置。
【発明の詳細な説明】
【技術分野】
【０００１】
本発明は、遊技媒体として球を用いるパチンコ機等の遊技機の球振分装置に関する。
【背景技術】
【０００２】
特許文献１で開示された遊技機の球振分装置は、入口に入った球を電気などの動力を使わないで、偶然性により振り分ける構造になっているので、設置される構造的な影響を受けやすいという欠点があった。特許文献２で開示された遊技機の球振分装置は、球が入口に入るたびに交互に振る分ける構造になっているので、１／２以外の割合で振り分けることができないという欠点があった。
【先行技術文献】
【特許文献】
【０００３】
【特許文献１】特許第３６９１３８７号公報
【特許文献２】特許第３５７４０８９号公報
【発明の概要】
【発明が解決しようとする課題】
【０００４】
本発明は、上記背景技術に鑑みてなされたものであり、入口に入った球を電気による動力を使わない機構により定められた１／２以外の割合で振り分けることができるようにすることを目的とする。
【課題を解決するための手段】
【０００５】
本発明は、装置本体に入口と左出口と右出口と隔壁と機構部とを備え、隔壁が入口と落下通路と左連絡口と右連絡口とを装置本体の前部に形成すると共に入口に入った球を装置本体から外側に出ないよう左出口又は右出口に誘導する造形であり、機構部は装置本体の後部に設けられて電気による動力を使わないで定められた１／２以外の割合で入口に入った球左出口と右出口とに振り分けるようになっている一方、機構部は、落下通路を落下する球の重力で回転する送りギアと、送りギアから落下した球を左出口に誘導する左連絡口を開閉する左レバーと、送りギアから落下した球を右出口に誘導する右連絡口を開閉する右レバーと、送りギアの回転で左レバーと右レバーとを機構部により定められた１／２以外の割合で振り分け動作するように動かすレバー連動機構とを備えたことを特徴とする。
【発明の効果】
【０００６】
本発明は、送りギアが球の重さにより回転し、この送りギアの回転で左レバーと右レバーとを機構部により定められた１／２以外の割合で振り分け動作するように動かすことにより、入口に入った球を電気による動力を使わない機構により定められた１／２以外の割合で振り分けることができるという効果がある。球噛み防止突起が左レバーと右レバーとの間に設けられれば、球が左レバーと右レバーとに噛み合うことはないという効果がある。機構部の容器が左右に分割された構成であれば、送りギア、左レバー、右レバー等の部品を容器の内部空間に簡単に収容することができるという効果がある。左レバーと右レバーとが送りギアの左右両側に別々に配置されれば、機構部の左右方向の横幅が小さくなり、機構部が落下通路の真後ろに配置できるという効果がある。
【図面の簡単な説明】
【０００７】
【図１】Ａ図は実施の形態に係る前飾りの前部を除去した遊技機の球振分装置を示す正面図、Ｂ図乃至Ｄ図は球振分装置の動作を示す正面図。
【図２】実施の形態に係る遊技機の球振分装置を示す分解斜視図。
【図３】実施の形態に係る機構部を示す分解斜視図。
【図４】実施の形態に係る容器を除去した機構部を示す平面図。
【図５】実施の形態に係る機構部の左レバー周りを示す左側面図に相当する断面図。
【図６】実施の形態に係る機構部の右レバー周りを示す右側面図に相当する断面図。
【図７】実施の形態に係る球振分装置を備えた遊技機を示す正面図。
【発明を実施するための形態】
【０００８】
図１を参照し、実施の形態に係る遊技機の球振分装置１について説明する。図１のＡ図に示すように、球振分装置１は、装置本体２に入口３と左出口４と右出口５と隔壁６と球噛み防止突起７とギア用孔８と左レバー用孔９と右レバー用孔１０と機構部１１とを備え、入口３に入った球を、電気による動力を使わない機構部１１により定められた１／２以外の割合で、左出口４と右出口５とに振り分けるようになっている。入口３の口径は、球を１個ずつ上方から下方に取り込めるが、左右に並んだ２個以上の球を取り込むことの不可能な寸法である。左出口４及び右出口５は、入口３よりも下方において左右に分かれた位置で、前後方向に貫通する。
【０００９】
隔壁６は、入口３と落下通路１２と左連絡口１３と右連絡口１４とを装置本体２の前部に形成すると共に、入口３に入った球を装置本体２から外側に出ないよう左出口４又は右出口５に誘導する造形を構成する。つまり、入口３に入った球は、落下通路１２から左連絡口１３及び左出口４又は右出口５を経由して装置本体２の後部に排出される。球噛み防止突起７は、落下通路１２の左右方向の中心部でギア用孔８と左レバー用孔９と右レバー用孔１０とに囲まれた部分から前方に突出する。ギア用孔８と左レバー用孔９と右レバー用孔１０とは、前後方向に貫通する。ギア用孔８は、落下通路１２の左右方向の中央部に配置される。左レバー用孔９は、ギア用孔８と左連絡口１３との間で落下通路１２に配置される。右レバー用孔１０は、ギア用孔８と右連絡口１４との間で落下通路１２に配置される。
【００１０】
機構部１１は、電気で動くことなく、球の重力で動作する機構であり、送りギア１５と左レバー１６と右レバー１７とを備える。送りギア１５は装置本体２よりも後部に配置された図外の左右方向に延びる軸を回転中心として上下方向に回転する円盤の周縁部に球収容部１８を複数個備える。球収容部１８は、円盤の周面から中心部の側に１個の球の一部を収容し得る窪みであり、円盤の円周方向に等間隔に配置される。送りギア１５の一部が装置本体２よりも後からギア用孔８を経由して装置本体２より前に突出するように、送りギア１５が装置本体２に配置され、上下方向に並ぶ２個の球収容部１８を区分する仕切部１９がギア用孔８の上下方向の中心部に位置した場合、上記２個の球収容部１８が装置本体２より前部に配置され、仕切部１９よりも上の１個の球収容部１８が落下通路１２を落下する１個の球の一部を収容し得るようになっている。
【００１１】
落下通路１２を落下する１個の球が仕切部１９よりも上の１個の球収容部１８に収容されると、その球の重さにより送りギア１５の前部が図外の軸を回転中心として上から下に回転する。その回転に伴い、上記１個の球が球収容部１８から落下通路１２を排出される。つまり、入口３に入った球が落下通路１２を通過する過程で球収容部１８に収容されると、送りギア１５が電気による動力を使わないで球の重さにより回転して上記球を球収容部１８から落下通路１２に排出する。１個の球で回転される送りギア１５の回転運動範囲は、３６０°を球収容部１８の送りギア１５に設けられた個数で割った角度である。例えば、球収容部１８が送りギア１５に１０個設けられた場合は、１個の球で回転される送りギア１５の回転運動範囲は３６°である。
【００１２】
左レバー１６は、前後方向に延びる部材であり、装置本体２の後部に配置された図外の左右方向に延びる軸を回転中心として左連絡口１３を開閉するように上下方向に揺動する。左レバー１６の前部が装置本体２よりも後から左レバー用孔９を経由して装置本体２より前に突出するように、左レバー１６は装置本体２に配置される。左レバー１６の前部が上昇して上昇限度位置に停止した場合、左レバー１６の前部の上縁部と左連絡口１３の上端部との間の隙間は球の通過不可能な寸法になる。つまり、左レバー１６の前部が上昇限度位置に停止すると、左レバー１６が左連絡口１３を球の通過不可能な状態に閉じた態様になる。又、左レバー１６の前部が下降して下降限度位置に停止した場合、左レバー１６の前部の上縁部と左連絡口１３の上端部との間の隙間は球の通過可能な寸法になる。つまり、左レバー１６の前部が下降限度位置に停止すると、左レバー１６が左連絡口１３を球の通過可能な状態に開いた態様になる。
【００１３】
右レバー１７は、前後方向に延びる部材であり、装置本体２の後部に配置された図外の左右方向に延びる軸を回転中心として右連絡口１４を開閉するように揺動する。右レバー１７の前部が装置本体２の後部から右レバー用孔１０を経由して装置本体２より前に突出するように、右レバー１７は装置本体２に配置される。右レバー１７の前部が上昇して上昇限度位置に停止した場合、右レバー１７の前部の上縁部と右連絡口１４の上端部との間の隙間は球の通過不可能な寸法になる。つまり、右レバー１７の前部が上昇限度位置に停止すると、右レバー１７が右連絡口１４を球の通過不可能な状態に閉じた態様になる。又、右レバー１７の前部が下降して下降限度位置に停止した場合、右レバー１７の前部の上縁部と右連絡口１４の上端部との間の隙間は球の通過可能な寸法になる。つまり、右レバー１７の前部が下降限度位置に停止すると、右レバー１７が右連絡口１４を球の通過可能な状態に開いた態様になる。
【００１４】
左レバー１６と右レバー１７とは互いに別々に動くようになっている。具体的には、左レバー１６が揺動可能に解放された時は、右レバー１７が揺動不可能に拘束されており、左レバー１６が揺動不可能に拘束された時は、右レバー１７が揺動可能に解放されている。左レバー１６に対する解放と拘束とについては、図５で説明する。右レバー１７に対する解放と拘束とについては、図６で説明する。
【００１５】
図１に戻り、実施の形態では、入口３に入った２０個のうちの１個の球に対し左レバー１６が球の重さで左連絡口１３を開き、残る１９個の球に対し右レバー１７が球の重さで右連絡口１４を開くようになっている。よって、入口３に入った２０個のうちの１個の球が左出口４に取り込まれ、入口３に入った２０個のうちの１９個の球が右出口５に取り込まれるので、左出口４に取り込まれる球の割合が１／２０で、右出口５に取り込まれる球の割合は１９／２０であるというように、入口３に入った球が機構部１１により定められた１／２以外の割合で左出口４と右出口５とに振り分けられるようになっている。
【００１６】
図１のＢ図乃至Ｄ図を参照し、実施の形態に係る遊技機の球振分装置１に球２０が入った時の動作について、左レバー１６が拘束されて左連絡口１３を閉じたままになり、右レバー１７が解放されて右連絡口１４を開くようになる場合を例として説明する。図１のＢ図に示すように、左レバー１６と右レバー１７とが上昇限度位置に停止しており、入口３に入った１個の球２０が送りギア１５の１個の球収容部１８に収容され、送りギア１５の前部が当該球２０の重さで上から下に回転して、球２０が左レバー１６と右レバー１７との上に乗る。この時、球２０は球噛み防止突起７に接触していない。そして、左レバー１６が拘束され、右レバー１７が解放されているので、球２０が左レバー１６と右レバー１７とに乗ると、左レバー１６が球２０の重さで下降しないで障壁になり、右レバー１７が球２０の重さで下降する。それに伴い、図１のＣ図に示すように、球２０が左レバー１６の側から球噛み防止突起７を右側に越えて右レバー１７を更に下降させつつ左レバー１６を右側に越える方向に移動する。球噛み防止突起７が左レバー１６と右レバー１７との間に設けられているので、球２０が左レバー１６と右レバー１７とに噛み合うことはなく、球噛み現象が発生しない。その後、図１のＤ図に示すように、右レバー１７を右側に越えた球２０は、右連絡口１４を経由して右出口５に取り込まれるのに伴い、右レバー１７が球の重さから解放されて上昇して上昇限度位置に停止する。
【００１７】
図２を参照し、実施の形態に係る遊技機の球振分装置１の各構成部品について説明する。球振分装置１は、装置本体２、機構部１１、前飾り２２を備える。装置本体２は、左出口４、右出口５、球噛み防止突起７、ギア用孔８、左レバー用孔９、右レバー用孔１０、左樋２３、右樋２４、位置決め部２５、取付孔２６；２７を備える。左樋２３は、左出口４から装置本体２の後側に排出された球を装置本体２より後に誘導するものであり、装置本体２の後部に設けられ、装置本体２から後方に突出する。右樋２４は、右出口５から装置本体２の後側に排出された球を装置本体２より後に誘導するものであり、装置本体２の後部に設けられ、装置本体２から後方に突出する。位置決め部２５は、装置本体２に対する前飾り２２の取付位置を決めるものであり、装置本体２から前に突出する。取付孔２６は、装置本体２と前飾り２２とを互いに取り付ける際に用いられる孔である。取付孔２７は、装置本体２を図外の遊技盤に取り付ける際に用いられる孔である。
【００１８】
前飾り２２は、隔壁６、前面部２８、位置決め部２９、取付孔３０を備える。前面部２８は、球が出ないように隔壁６の前部を塞いでいる。位置決め部２９は、装置本体２の位置決め部２５と嵌合する窪みになっている。取付孔３０は、装置本体２の取付孔２６と位置が合う窪みになっている。そして、位置決め部２５；２９が互いに嵌め合わせられ、図外の止ねじが装置本体２よりも後から取付孔２６を経由して取付孔３０に装着され、隔壁６の後面と装置本体２の前面とが互いに接触し、前飾り２２が装置本体２に固定されることにより、入口３と落下通路１２と左連絡口１３と右連絡口１４とが図１に示すように形成される。尚、前飾り２２の装置本体２への固定は、接着剤又は嵌め込み式でもよい。又、位置決め部２５が窪みで、位置決め部２９が突起であってもよい。
【００１９】
機構部１１では、送りギア１５の前部と左レバー１６の前部と右レバー１７の前部とが容器３１よりも前に突出した状態で、送りギア１５と左レバー１６と右レバー１７とが容器３１の内部に収容された造形である。容器３１の外部には、取付部３２を備える。そして、送りギア１５の前部と左レバー１６の前部と右レバー１７の前部とが装置本体２の後からギア用孔８と左レバー用孔９と右レバー用孔１０とに別々に挿入され、取付部３２が装置本体２に設けられた図外の取付部に後から重ね合わされ、図外の止ねじが機構部１１よりも後から取付部３２を経由して上記装置本体２の図外の取付部に取り付けられることにより、機構部１１が装置本体２に固定される。
【００２０】
図３を参照し、機構部１１の各構成部品について説明する。機構部１１は、送りギア１５、左レバー１６、右レバー１７、容器３１、左第１ギア３５、右第１ギア３６、左第２ギア３７、右第２ギア３８、制動部材３９を備える。送りギア１５は、球収容部１８と仕切部１９と軸４０とを備える。軸４０は、送りギア１５の中心部で左右に突出する。容器３１は、左容器４１と右容器４２とから一体に構成されることにより、内部に収容空間を構成する。左容器４１は、取付部３２；４３、軸受部４４；４５；４６を備える。右容器４２は、取付部３２；４７、軸受部４８；４９；５０を備える。
【００２１】
左レバー１６は、前部に左球受部５１、中間に軸５２、後部に左爪部５３を備え、前部が後部よりも重くなるように重量を配分されている。軸５２は、左レバー１６より左に突出する。左爪部５３は、左レバー１６の拘束及び解除を決めるものであり、左レバー１６から突出する。右レバー１７は、前部に球受部５４、中間に軸５５、後部に右爪部５６及び錘５７を備え、後部が前部よりも重くなるように重量を配分されている。軸５５は、右レバー１７より右に突出する。右爪部５６は、右レバー１７の拘束及び解除を決めるものであり、右レバー１７から突出する。
【００２２】
左第１ギア３５は、送りギア１５の左に隣接して固定され、軸４０の周りを囲む平歯車の態様である。右第１ギア３６は、送りギア１５の右に隣接して固定され、軸４０の周りを囲む平歯車の態様である。左第１ギア３５の外径と右第１ギア３６の外径とは、送りギア１５の中心から球収容部１８の軸４０の側に最も近い部分とを結ぶ直径よりも小さくなっている。左第１ギア３５の歯数と右第１ギア３６の歯数とは、同数になっている。
【００２３】
左第２ギア３７は、平歯車として構成され、軸５８と左拘束部５９と左解除部６０とを備える。軸５８は、左第２ギア３７の中心部で左拘束部５９より左に突出する。左拘束部５９は、左レバー１６が左連絡口１３を閉じた状態となるように、左レバー１６を揺動不可能に拘束するものであり、軸５８を中心とする円盤として左第２ギア３７の左に固定される。球が左レバー１６の左球受部５１の上に乗り、左球受部５１が球の自重で下降しようとしても、左爪部５３が左拘束部５９に接触して、左レバー１６の前部が下降することなく左連絡口１３を閉じたままになる。左解除部６０は、左レバー１６を揺動可能に解除するものであり、左レバー１６の左爪部５３を収容する窪みとして左拘束部５９の周縁部に設けられる。実施の形態では、左レバー１６が後部よりも前部を重くした重量の配分になっているので、左爪部５３が左解除部６０に収容されることにより、左レバー１６の前部が下降して左連絡口１３（図１参照）を開いて停止する。この左レバー１６の前部の停止した位置が、左レバー１６の前部の下降限度位置である。
【００２４】
図３において、右第２ギア３８は、平歯車として構成され、軸６１と右ストッパー６２と右拘束部６３とを備える。軸６１は、右第２ギア３８の中心部より右に突出する。右ストッパー６２は、右レバー１７の前部の下降範囲を規制するものであり、軸６１を中心とする円盤として右第２ギア３８の右に固定される。球が右レバー１７の球受部５４の上に乗り、球受部５４が球の自重で下降して右連絡口１４（図１参照）を開いた場合に、右爪部５６が右ストッパー６２に接触して、右レバー１７の前部の下降が停止する。この右レバー１７の前部の停止した位置が、右レバー１７の前部の下降限度位置である。右拘束部６３は、右レバー１７が右連絡口１４を閉じた状態となるように、右レバー１７を揺動不可能に拘束するものであり、前部の右ストッパー６２の直径方向の外側に突出する突起として右ストッパー６２に一体に設けられる。球が右レバー１７の球受部５４の上に乗り、球受部５４が球の自重で下降しようとしても、右爪部５６が右拘束部６３に接触して、右レバー１７の前部が下降することなく右連絡口１４を閉じたままになる。
【００２５】
図３に戻り、左第２ギア３７の歯数と右第２ギア３８の歯数とは、同数であり、左第１ギア３５の歯数と右第１ギア３６の歯数との２倍になっている。これにより、送りギア１５の２回転に対し、左第２ギア３７と右第２ギア３８とが１回転する。制動部材３９は、送りギア１５が球の勢いで余分に回転することないように送りギア１５の過回転を防止するものであり、板ばねにより構成され、前部に接触部６４、後部に取付部６５を備える。
【００２６】
左第１ギア３５と右第１ギア３６と左第２ギア３７と右第２ギア３８と左爪部５３と左拘束部５９と左解除部６０と右ストッパー６２と右爪部５６と右拘束部６３とが、送りギア１６の回転で左レバー１６と右レバー１７とを機構部１１により定められた１／２以外の割合で振り分け動作するように動かすレバー連動機構を構成する。このレバー連動機構は、送りギア１６の定められた回転数に対して左連絡口１３(図１参照）を１回開くと共にそれ以外は閉じるように左レバー１６を動かす一方、左レバー１６が左連絡口１３を開く時は右レバー１７が右連絡口１４を閉じると共に左レバー１６が左連絡口１３を閉じる時は右レバー１７が右連絡口１４を開くように右レバー１７を動かすように構成される。尚、レバー連動機構では、左第１ギア３５と右第１ギア３６と左第２ギア３７と右第２ギア３８とが除去されると共に、左拘束部５９と左解除部６０と右ストッパー６２と右拘束部６３とが送りギア１５に設けられた構成でもよい。右ストッパー６２を右第２ギア３８に設けないで容器３１に設けるか又は図２の右レバー用孔１０の下端部で代替してもよい。
【００２７】
図３において、機構部１１の組み立て方について説明すると、左レバー１６の軸５２が軸受部４５に嵌め込まれ、左第２ギア３７の軸５８が軸受部４６に嵌め込まれることにより、左レバー１６と左第２ギア３７とが左容器４１の右側に取り付けられる。又、送りギア１５の軸４０の右端部が軸受部４８に嵌め込まれ、右レバー１７の軸５５が軸受部４９に嵌め込まれ、右第２ギア３８の軸６１が軸受部５０に嵌め込まれることにより、送りギア１５と右レバー１７と右第２ギア３８とが右容器４２の左側に取り付けられる。右第２ギア３８軸が軸受部に嵌め込まれる場合、右第２ギア３８が送りギア１５の右第１ギア３６に噛み合わされる。又、制動部材３９が左容器４１に取り付けられることにより、制動部材３９の接触部６４が送りギア１５の上部に上方から接触する。
【００２８】
その後、左容器４１と右容器４２とが互いに組み合わせられる場合、左第２ギア３７の左解除部６０が右第２ギア３８の右拘束部６３と左右方向で対向するように位置を調整され、左第２ギア３７が送りギア１５の左第１ギア３５に噛み合わされる。以上のように機構部１１を組み立てる場合において、容器３１が上下に分割された構成に比べ、容器３１が左容器４１と右容器４２というように左右に分割された構成であるので、送りギア１５、左レバー１６、右レバー１７、左第２ギア３７、右第２ギア３８、制動部材３９等の部品を容器３１の内部空間に簡単に収容することができる。
【００２９】
図４を参照し、容器３１の除去された機構部１１を上方から見た場合について説明すると、送りギア１５の左右両側には左第２ギア３７及び右第２ギア３８が別々に配置され、左第２ギア３７の真下には左レバー１６が配置され、右第２ギア３８の真下には右レバー１７が配置されているので、機構部１１の左右方向の横幅が小さくなり、機構部１１が落下通路１２の真後ろに配置できる。又、左出口４及び右出口５が機構部１１の左右両側に隣接して配置されたので、球振分装置１の横幅が小さくなる。
【００３０】
図５及び図６を参照し、機構部１１の内部構造について説明する。図５に示すように、制動部材３９の取付部６５が容器３１に固定され、制動部材３９の接触部６４が１個の球収容部１８の前後方向の両側における仕切部１９に接触している。左レバー１６の左爪部５３が軸５２を中心として上方に移動して左拘束部５９の外周面に接触している。その状態において、球２０が入口３から落下通路１２を落下して誘導突起６６による誘導で送りギア１５における１個の球収容部１８に収容されるのに伴い、送りギア１５が上記球２０の自重で回転すると、接触部６４が仕切部１９でも持ち上げられるように制動部材３９が撓む。そして、上記１個の球２０が１個の球収容部１８と誘導突起６６との間から落下するのに伴い、接触部６４が仕切部１９を押し下げるように制動部材３９が復元して上記１個の球収容部１８の回転方向の後に隣接する１個の球収容部１８の前後方向の両側における仕切部１９に接触し、上記送りギア１５の回転が停止する一方、上記球収容部１８と誘導突起６６との間から落下した１個の球２０が左レバー１６の左球受部５１に衝突しても、左爪部５３が左拘束部５９に接触して、左レバー１６が軸５２を回転中心として揺動しないで左連絡口１３を閉じて障壁となるように拘束されているので、左球受部５１が下降しない。この左レバー１６の拘束状態は、左レバー１６の解放状態以外で発生する。実施の形態では、球が入口３に２０個入った場合における１９個に対して左レバー１６が拘束された状態になる。
【００３１】
次に、上記球２０による送りギア１５の回転と停止とが繰り返され、左爪部５３があと１個の球２０の入口３への入りにより左解除部６０と対向する手前の位置で左拘束部５９の外周面に接触している。その状態において、球２０が入口３から落下通路１２を落下して誘導突起６６による誘導で送りギア１５における１個の球収容部１８に収容されるのに伴い、送りギア１５が上記球２０の自重で回転すると、接触部６４が仕切部１９でも持ち上げられるように制動部材３９が撓む。そして、上記１個の球２０が１個の球収容部１８と誘導突起６６との間から落下するのに伴い、接触部６４が仕切部１９を押し下げるように制動部材３９が復元して上記１個の球収容部１８の回転方向の後に隣接する１個の球収容部１８の前後方向の両側における仕切部１９に接触し、上記送りギア１５の回転が停止するに伴い、左爪部５３が左解除部６０に出合うと、左レバー１６が軸５２を回転中心として揺動し、左爪部５３が上昇して左解除部６０に収容される一方、左球受部５１が下降して左連絡口１３を開いて下降限度位置に停止する。この時、右レバー１７は揺動不可能に拘束されているので、上記球収容部１８と誘導突起６６との間から落下した１個の球２０が下降した左球受部５１及び左連絡口１３（図１参照）を経由して左球出口４（図１参照）に排出される。この左レバー１６の揺動する解放状態は、送りギア１５の２回転に１回だけ発生する。実施の形態では、球が入口３に２０個入った場合における１個に対して左レバー１６が解放された状態になる。
【００３２】
尚、図５において、左レバー１６の後部が前部よりも重くなるように重量を配分された造形に左レバー１６を構成することも考えられる。そして、左レバー１６が左レバー用孔９から装置本体２より前側に突出し、容器３１に軸５２を回転中心として揺動し得るように取り付けられた場合、上記左レバー１６の重量の配分により、左レバー１６の前部が上昇して左レバー用孔９の上端部に下から接触して上昇限度位置に停止する。このように左レバー１６の前部が上昇限度位置に停止した状態において、左レバー１６を揺動不可能に拘束するには、球収容部１８と誘導突起６６との間から落下した１個の球２０が左球受部５１に衝突しても、左レバー１６が左連絡口１３を開くことなく閉じたままとなるように、左爪部５３が左拘束部５９に接触するように構成すればよい。又、上記のように左レバー１６の前部が上昇限度位置に停止した状態において、左レバー１６を揺動可能に解除するには、左爪部５３が左解除部６０と出合うように対応しており、球収容部１８と誘導突起６６との間から落下した１個の球２０が左球受部５１に衝突すると、左爪部５３が左解除部６０に収容され、左レバー１６が左連絡口１３を開くように構成すればよい。
【００３３】
図６に示すように、制動部材３９の接触部６４が１個の球収容部１８の前後方向の両側における仕切部１９に接触し、右レバー１７の球受部５４が軸５２を中心として上方に移動し、右レバー１７が右レバー用孔１０の上端部に接触した位置で停止し、右爪部５６が右ストッパー６２と対応している。その状態において、球２０が入口３から落下通路１２を落下して誘導突起６６による誘導で送りギア１５における１個の球収容部１８に収容されるのに伴い、送りギア１５が上記球２０の自重で回転すると、接触部６４が仕切部１９でも持ち上げられるように制動部材３９が撓む。そして、上記１個の球２０が１個の球収容部１８と誘導突起６６との間から落下するのに伴い、接触部６４が仕切部１９を押し下げるように制動部材３９が復元して上記１個の球収容部１８の回転方向の後に隣接する１個の球収容部１８の前後方向の両側における仕切部１９に接触し、上記送りギア１５の回転が停止する一方、上記球収容部１８と誘導突起６６との間から落下した１個の球２０が右レバー１７の球受部５４に衝突すると、右レバー１７が軸５５を回転中心として揺動するように解放されているので、球受部５４が下降する一方、右爪部５６が上昇して右ストッパー６２に接触する。この右レバー１７の解放状態は、右レバー１７の拘束状態以外で発生する。実施の形態では、球が入口３に２０個入った場合における１９個に対して右レバー１７が解放された状態になる。
【００３４】
次に、上記球２０による送りギア１５の回転と停止とが繰り返され、右爪部５６があと１個の球２０の入口への入りにより右拘束部６３と対向する手前に位置している。その状態において、球２０が入口３から落下通路１２を落下して誘導突起６６による誘導で送りギア１５における１個の球収容部１８に収容されるのに伴い、送りギア１５が上記球２０の自重で回転すると、接触部６４が仕切部１９でも持ち上げられるように制動部材３９が撓む。そして、上記１個の球２０が１個の球収容部１８と誘導突起６６との間から落下するのに伴い、接触部６４が仕切部１９を押し下げるように制動部材３９が復元して上記１個の球収容部１８の回転方向の後に隣接する１個の球収容部１８の前後方向の両側における仕切部１９に接触し、上記送りギア１５の回転が停止するに伴い、右爪部５６が右拘束部６３の外周面と対向する一方、上記球収容部１８と誘導突起６６との間から落下した１個の球２０が右レバー１７の球受部５４に衝突しても、右爪部５６が右拘束部６３に接触して、右レバー１７が軸５５を回転中心として揺動しないで右連絡口１４を閉じて障壁となるように拘束されているので、球受部５４が下降しない。この右レバー１７の拘束状態は、送りギア１５の２回転に１回だけ発生する。実施の形態では、球が入口３に２０個入った場合における１個に対して右レバー１６が拘束された状態になる。
【００３５】
段落００３０乃至段落００３３で説明したように、送りギア１５に左第２ギア３７と右第２ギア３８とが送りギア１５の２回転に対して１回転するように噛み合わされ、左第２ギア３７と一緒に回転する左拘束部５９が１回転する間は左レバー１６を左連絡口１３に対して閉じるように拘束している。これにより、入口３に入った球２０は自重で右レバー１７を押し下げて右側に振り分けられる。この右側への振り分けは、送りギア１５の２回転中は持続する。そして、左拘束部５９が１回転した時は左爪部５３と左解除部６０とが互いに対向して左レバー１６を左連絡口１３対して開くように解放していると共に右爪部５６と右拘束部６３とが互いに対向して右レバー１７を右連絡口１４に対し閉じるように拘束している。これにより、入口３に入った球２０は自重で左レバー１６を押し下げて左側に振り分けられる。
【００３６】
実施の形態では、球２０が入口３に１個ずつ２０個入った場合に、１個の球２０が左側に振り分けられ、残りの１９個の球２０が右側に振り分けられるので、機構部１１により定められた１／２以外の割合は１／２０になっている。機構部１１により定められた１／２以外の割合は、１／２０に限定されるものではなく、球収容部１８の個数、左解除部６０の個数、右拘束部６３の個数、左第２ギア３７及び右第２ギア３８の送りギア１５に対する歯車比等を変更することにより、１／２０以外の割合に設定してもよい。又、入口３に入った球の左出口４と右出口５とに振り分ける割合は逆であってもよい。
【００３７】
図１乃至図６では図示を省略したが、球検出器が入口３、左出口４、右出口５、落下通路１２に設けられて遊技制御に用いられる。例えば、球検出器が入口３又は落下通路１２と左出口４又は右出口５とに１個ずつの合計２個、入口３又は落下通路１２と左出口４と右出口５とに１個ずつの合計３個、左出口４と右出口５とに１個ずつの合計２個設けられる場合が考えられる。
【００３８】
図７を参照し、実施の形態に係る球振分装置１を備えた遊技機について、パチンコ機７０を例示して説明する。パチンコ機７０は、遊技店の島と呼ばれる遊技機設置設備に取り付けられる遊技機枠７１の内部に遊技盤７２を備え、遊技盤７２に球振分装置１、画像表示器７３、始動入賞装置７４、可変入賞装置７５、アウト口７６等を備え、遊技機枠７１の正面に設けられた球発射操作機構７７が遊技者により操作されると、遊技機枠７１の内部に設けられた球発射機７８がパチンコ球と呼ばれる球を遊技盤７２の前面とその前に配置された透明なガラス７９との間の遊技領域に発射する。この遊技領域に発射された球が遊技領域を流下する過程で球振分装置１の入口３に入ると、その球を球振分装置１が機構部１１により定められた１／２以外の割合で、左出口４と右出口５とに振り分ける。そして、球が左出口４を通過した場合は入賞に対する賞球だけを与え、球が右出口５を通過した場合は入賞に対する賞球と当り外れの抽選を制御装置で行い、当りが抽選された場合は始動入賞装置７４が球の入り易い造形になるようにしてもよい。
【符号の説明】
【００３９】
１は球振分装置、２は装置本体、３は入口、４は左出口、５は右出口、６は隔壁、７は球噛み防止突起、８はギア用孔、９は左レバー用孔、１０は右レバー用孔、１１は機構部、１２は落下通路、１３は左連絡口、１４は右連絡口、１５は送りギア、１６は左レバー、１７は右レバー、１８は球収容部、１９は仕切部、２０は球、２１は欠番、２２は前飾り、２３は左樋、２４は右樋、２５は位置決め部、２６；２７は取付孔、２８は前面部、２９は位置決め部、３０は取付孔、３１は容器、３２は取付部、３３；３４は欠番、３５は左第１ギア、３６は右第１ギア、３７は左第２ギア、３８は右第２ギア、３９は制動部材、４０は軸、４１は左容器、４２は右容器、４３は取付部、４４乃至４６は軸受部、４７は取付部、４８乃至５０は軸受部、５１は左球受部、５２は軸、５３は左爪部、５４は球受部、５５は軸、５６は右爪部、５７は錘、５８は軸、５９は左拘束部、６０は左解除部、６１は軸、６２は右ストッパー、６３は右拘束部、６４は接触部、６５は取付部、６６は誘導突起、６７乃至６９は欠番、７０はパチンコ機、７１は遊技機枠、７２は遊技盤、７３は画像表示器、７４は始動入賞装置、７５は可変入賞装置、７６はアウト口、７７は球発射操作機構、７８は球発射機、７９はガラス。
【図１】
2014124363.tif 000003
【図２】
2014124363.tif 000004
【図３】
2014124363.tif 000005
【図４】
2014124363.tif 000006
【図５】
2014124363.tif 000007
【図６】
2014124363.tif 000008
【図７】
2014124363.tif 000009